(57)【要約】      （修正有）【課題】試料に含まれる一部の成分による分析データの悪化を効率的に防ぐことができる自動分析装置を提供する。【解決手段】試料を収容した容器を保持した保持具が載置される第１の載置部と、容器から所定量の試料を吸引する試料プローブと、試料プローブが試料を吸引する位置に設けられ、試料プローブが吸引する試料の容器を保持する保持具が複数任意の順で載置される第２の載置部と、第１及び第２の載置部に載置された保持具を保持し、前記保持した保持具とともに水平方向に移動し、保持具を少なくとも第１の載置部から第２の載置部の空き領域のいずれかへ搬送する搬送部と、搬送部の少なくとも保持具を保持する部分に搬送による運動とは異なる運動をさせる制御回路とを有する。【選択図】図４
2017083269.tif 000002
【特許請求の範囲】
【請求項１】
被検査対象である試料を収容した容器を複数保持可能な保持具が載置される第１の載置
部と、
前記試料を前記容器から所定量吸引する試料プローブと、
前記第１の載置部と空間的に隔てられた位置に設けられ、前記保持具が複数任意の位置
に載置され、当該保持具を前記試料プローブが試料を吸引する位置へ前記容器単位で送る
第２の載置部と、
前記保持具を保持し、当該保持具とともに前記第１の載置部と前記第２の載置部との間
を移動し、前記保持具を前記第１の載置部から前記第２の載置部の任意の位置へ搬送する
搬送部と、
前記搬送部の前記保持具を保持する部分に前記搬送による運動とは異なる運動をさせる
制御回路と、
を有することを特徴とする自動分析装置。
【請求項２】
前記搬送による運動とは異なる運動とは、前記搬送部が保持した前記保持具に保持され
た前記容器の底方向或いは側壁方向の少なくともいずれかの方向への力を負荷するもので
あることを特徴とする請求項１に記載の自動分析装置。
【請求項３】
前記搬送による運動とは異なる運動とは、前記保持具に保持された前記容器の試料に鉛
直方向の力を作用させるものであることを特徴とする請求項１に記載の自動分析装置。
【請求項４】
前記搬送による運動とは異なる運動とは、前記保持具を保持する部分を搬送路上で所定
方向に回転動させるものであることを特徴とする請求項１乃至３の何れか１つに記載の自
動分析装置。
【請求項５】
前記搬送による運動とは異なる運動とは、保持する前記保持具を所定方向に所定角度で
繰り返し傾動運動させるものであることを特徴とする請求項１又は２の何れかに記載の自
動分析装置。
【請求項６】
前記搬送による運動とは異なる運動とは、保持する前記保持具を水平方向又は垂直方向
の何れか一方に繰り返しスライド移動するものであることを特徴とする請求項１又は２の
何れかに記載の自動分析装置。
【請求項７】
前記搬送による運動とは異なる運動とは、保持する前記保持具を繰り返し上下及び傾動
させるものであることを特徴とする請求項１又は２の何れかに記載の自動分析装置。
【請求項８】
前記制御回路が前記搬送部の前記保持具を保持する部分に行わせる運動は、保持する前
記保持具を繰り返し回転動及び傾動させるものであることを特徴とする請求項１又は２の
何れかに記載の自動分析装置。
【請求項９】
前記搬送部は、前記第２の載置部に載置されている前記保持具を保持し、
前記制御回路は、前記第２の載置部に載置されていた前記保持具を保持する前記搬送部
の保持部分に前記搬送による運動とは異なる運動をさせることを特徴とする請求項１乃至
８の何れか１つに記載の自動分析装置。
【請求項１０】
前記搬送部が保持する前記保持具は、前記第２の載置部に載置されている前記保持具の
うち、保持している容器から前記試料プローブが吸引していないものであることを特徴と
する請求項９に記載の自動分析装置。
【請求項１１】
前記制御回路は、再検査する試料の容器を保持する前記保持具を前記搬送部が保持する
場合に、前記搬送による運動とは異なる運動をさせることを特徴とする請求項１乃至８の
何れか１つに記載の自動分析装置。
【請求項１２】
前記制御回路は、前記搬送による運動とは異なる運動をさせた前記搬送部の前記保持具
が保持していた容器から所定の時間内に前記試料プローブが試料を吸引しない場合に、前
記搬送部に前記保持具を保持させて前記搬送による運動とは異なる運動をさせることを特
徴とする請求項１乃至８の何れか１つに記載の自動分析装置。
【請求項１３】
前記制御回路が前記搬送部の少なくとも前記保持具を保持した部分に前記搬送による運
動とは異なる運動を行わせるのは、前記保持具が何れかの前記載置部に載置されてから所
定時間経過した場合であることを特徴とする請求項１乃至８の何れか１つに記載の自動分
析装置。
【請求項１４】
前記制御回路が前記搬送部の少なくとも前記保持具を保持した部分に前記搬送による運
動とは異なる運動を行わせるのは、前記搬送部が前記保持具を前記第１の載置部から第２
の載置部に搬送する為の移動途中であることを特徴とする請求項１に記載の自動分析装置
。
【請求項１５】
前記制御回路が前記搬送部の少なくとも前記保持具を保持した部分に前記搬送による運
動とは異なる運動を行わせるのは、検査後に前記保持具を一時的に載置する第３の載置部
から前記第２の載置部に搬送する為の移動途中であることを特徴とする請求項１に記載の
自動分析装置。
【請求項１６】
前記第２の載置部には、前記複数の保持具の長手方向が単一線上に位置した状態で複数
の前記保持具が載置され、
前記搬送部は、前記第２の載置部に載置される前記保持具の長手方向に沿って移動する
ことを特徴とする請求項１に記載の自動分析装置。
【発明の詳細な説明】
【技術分野】
【０００１】
本発明の実施形態は、自動分析装置に関する。
【背景技術】
【０００２】
自動分析装置は、生化学検査項目や免疫検査項目等を検査対象とし、試料と各検査項目
の分析に用いる試薬の混合液の反応によって生じる色調や濁りの変化を、分光光度計や比
濁計の測光部で光学的に測定する。この測定により、試料中の様々な検査項目成分の濃度
や酵素の活性等で示される分析データが生成される。
【０００３】
自動分析装置では、試料毎に複数の検査項目の中から選択された検査対象項目の分析を
行う。分析手順は以下の通りである。まず、試料分注プローブが分注位置に配置された試
料容器内の試料を吸引して反応容器に吐出する。次に試薬分注プローブが試薬容器内の試
薬を吸引して反応容器に吐出し、測光回路が反応容器内に吐出された試料及び試薬の混合
液を測定する。
【０００４】
ところで、自動分析装置による検査を行う前には、自動分析装置とは別体となった遠心
分離機を使用して試料を遠心分離する。例えば試料が全血の場合には、血清を含む上層試
料と血球及び血小板を含む下層試料に分離する。その後、自動分析装置内の搬送装置が遠
心分離された試料を分注位置へ搬送する。
【０００５】
しかしながら、遠心分離後に一定時間が経過すると試料容器内の上層試料の液面に下層
試料が浮遊する。これにより、試料分注プローブが吸引する上層試料に、浮遊した下層試
料の一部が混入してしまい、上層試料のみを用いて分析を行う検査項目に測定誤差が発生
する。例えば試料が全血の場合、遠心分離により血球成分が破壊され、その血球成分の残
骸が血清成分の液面に浮遊することがある。この血球成分の残骸が試料分注プローブによ
り吸引され、反応容器内に混入することで測定誤差が引き起こされる。
【先行技術文献】
【特許文献】
【０００６】
【特許文献１】特開２０１３−２０５４０５号公報
【発明の概要】
【発明が解決しようとする課題】
【０００７】
実施形態は、測定誤差の発生を効率的に防ぐことができる自動分析装置を提供すること
を目的とする。
【課題を解決するための手段】
【０００８】
実施形態の自動分析装置は、被検査対象である試料を収容した容器を保持した保持具が
載置される第１の載置部と、容器から所定量の試料を吸引する試料プローブと、試料プロ
ーブが試料を吸引する位置に設けられ、当該試料プローブが吸引する試料の容器を保持す
る保持具が複数任意の順で載置される第２の載置部と、第１及び第２の載置部に載置され
た保持具を保持し、前記保持した保持具とともに水平方向に移動し、保持具を少なくとも
第１の載置部から第２の載置部の空き領域のいずれかへ搬送する搬送部と、搬送部の少な
くとも保持具を保持する部分に搬送による運動とは異なる運動をさせる制御回路とを有す
ることを特徴とする。
【図面の簡単な説明】
【０００９】
【図１】実施形態に係る分析装置の構成を示す斜視図。
【図２】実施形態に係る搬送装置の構成の一例を示す上面図。
【図３】実施形態に係る試料ラックの三面図。
【図４】実施形態に係る移動機構の構成の一例を示す図。
【図５】実施形態に係る上下移動機構の構成の一例を示す図。
【図６】実施形態に係る自動分析装置の構成を示すブロック図。
【図７】実施形態に係る分注位置で試料容器内の試料と試料を吸引する試料分注プローブの位置関係を示す断面図。
【図８】実施形態に係る移動機構の動作過程の一例を示すフローチャート。
【図９】実施形態に係る傾け動作機構の構成の一例を示す図。
【図１０】実施形態に係る回転動作機構の構成の一例を示す図。
【発明を実施するための形態】
【００１０】
（実施例）
以下、図面を参照して実施形態を説明する。
【００１１】
図１は自動分析装置１００の測定装置１０の構成を示した斜視図である。この測定装置
１０は、第１試薬庫１５と第２試薬庫１６と反応テーブル１８とを有する。
【００１２】
試料容器１１は、試料を収容する容器である。試料容器１１の例として、遠心分離され
た血液を収容する採血管が挙げられる。遠心分離された血液は、上層へ分離された例えば
血清を含む上層試料と、下層へ分離された赤血球、白血球及び血小板を含む下層試料とに
分離される。また試料容器１１の別の例としては、遠心分離された採血管から分注される
血清又は血漿、及び尿等の各試料を収容する所定サイズの試料カップや試験管等がある。
【００１３】
第１試薬庫１５と第２試薬庫１６のそれぞれには試薬容器１３が収容される。試薬容器
１３には各検査時に使用する試薬が収容される。第１試薬庫１５及び第２試薬庫１６の中
には、試薬ラック１４が配置され、試薬容器１３を保持する。反応テーブル１８は第１試
薬庫１５を取り囲むように配置され、円周上に配置された複数の反応容器１７を保持する
。
【００１４】
また、測定装置１０は試料分注プローブ１９と試料分注アーム２０と第１試薬分注プロ
ーブ２１と第１試薬分注アーム２２と攪拌装置２３を有する。
【００１５】
試料分注プローブ１９は、分注レーン４２上の試料ラック３１に保持された試料容器１
１内の試料を吸引して反応容器１７内へ分注する。試料分注プローブ１９は、試料を試料
容器１１から所定量吸引する試料プローブの一例である。試料ラック３１は、被検査対象
である試料を収容した試料容器１１を複数保持可能な保持具の一例である。
【００１６】
試料分注アーム２０は試料分注プローブ１９を保持し、試料分注アーム２０が回転動作
することにより試料分注プローブ１９を移動させる。また、試料分注アーム２０が上下動
作することにより試料分注プローブ１９を上下方向に移動させる。
【００１７】
第１試薬分注プローブ２１は試薬を反応容器１７内に分注する。反応容器１７内には試
料が分注されており、試薬は反応容器１７内の試料と混合される。
【００１８】
第１試薬分注アーム２２は、第１試薬分注プローブ２１を保持し、第１試薬分注アーム
２２が回転動作することにより第１試薬分注プローブ２１を移動させる。また、第１試薬
分注アーム２２が上下動作することにより第１試薬分注プローブ２１を上下方向に移動さ
せる。
【００１９】
第１試薬分注アーム２２は、第１試薬分注プローブ２１を回動及び上下移動可能に保持
する。攪拌装置２３は、反応容器１７に分注された試料及び試薬の混合液の攪拌を行う。
【００２０】
更に、測定装置１０は、第２試薬分注プローブ２５と第２試薬分注アーム２６と測光装
置２９と洗浄ノズル３０とを有する。
【００２１】
第２試薬分注プローブ２５は、試薬ラック１４に保持された試薬容器１３内の試薬を吸
引して反応容器１７内に吐出する分注を行う。第２試薬分注アーム２６は、第２試薬分注
プローブ２５を回動及び上下移動可能に保持する。測光装置２９は、反応容器１７内の標
準試料や試料及び試薬を含む混合液を透過した当該光を検出し、得られた検出信号を解析
して、例えば標準データや被検データを生成する。標準データは濃度が既知の標準試料の
吸光度である。被検データは測光回路で測定された検査対象試料の吸光度である。更に測
光装置２９は、生成した標準データや被検データを処理回路９０に出力する。洗浄ノズル
３０は、測光装置２９による測定を終了した反応容器１７内を洗浄する。
【００２２】
図２は、自動分析装置１００の搬送装置４０の構成を示した上面図である。この搬送装
置４０は投入レーン４１と移動機構５１と分注レーン４２と待機レーン４３と回収レーン
４４とを有する。搬送装置４０の各レーン同士は空間的に隔たれた位置に設けられ、試料
ラック３１は各レーンから移動機構５１を介して他のレーンへと搬送される。
【００２３】
投入レーン４１は、投入レーン４１の長手方向が測定装置１０の前後方向に平行になる
ように測定装置１０の右方に近接配置される。ここで、投入レーン４１上に載置された試
料ラック３１は、投入レーン４１の長手方向に移動駆動する投入レーン４１の下側に配置
された駆動機構によって矢印L１方向に順次押し出されていき、投入レーン４１上の投入
位置Taで停止される。この投入レーン４１は、被検査対象である試料を収容した試料容器
１１が載置される第１の載置部の一例である。
【００２４】
移動機構５１は投入位置Taに載置された試料ラック３１を保持し、投入位置Taから左方
の方向である矢印L２方向へリーダ４５の前方を経由して移動させ、試料ラック３１と分
注レーン４２の長手方向が互いに平行になるように試料ラック３１を分注レーン４２上に
載置する。このとき、移動機構５１は分注レーン４２や待機レーン４３の載置部に載置さ
れる試料ラック３１の長手方向に沿って移動する。移動機構５１が搬送してきた試料ラッ
ク３１を載置する位置は、通常、投入レーン４１に一番近い搬入位置Tbである。ただし、
移動機構５１が試料ラック３１を保持する位置は上記に限定されず、分注レーン４２及び
待機レーン４３上に配置された試料ラック３１を保持し移動させても構わない。また、移
動機構５１は、試料ラック３１を例えば、投入レーン４１から分注レーン４２へと搬送す
るように、試料ラック３１のレーン間での搬送を行う搬送部の一例である。
【００２５】
分注レーン４２は、試料分注プローブ１９が試料を分注する分注位置Tcへ試料ラック３
１を移動可能なように設けられ、分注レーン４２の長手方向が測定装置１０の左右方向に
平行になるように測定装置１０の前方で投入レーン４１の左方に近接配置される。ここで
、試料ラック３１は分注レーン４２上の複数任意の位置に載置される。また、分注レーン
４２には、レーンの長手方向に回転駆動するベルトが設けられており、分注レーン４２に
載置された複数の試料ラック３１は、ベルトの回転駆動により試料容器１１単位で分注位
置Tcへとスライド移動する。保持する各試料容器１１の試料分注プローブ１９による試料
の吸引が行われた試料ラック３１は、搬出位置Tdで停止する。分注レーン４２には複数の
試料ラック３１が長手方向に対して単一線上に並べて載置され、移動機構５１は分注レー
ン４２の載置部に載置される試料ラック３１の長手方向に沿って移動する。分注レーン４
２のベルトは、分注位置Tcにある試料容器１１からの試料吸引が終わる毎に当該試料容器
１１を保持している試料ラック３１を搬出位置Tdに向けてスライド移動させる。また、分
注レーン４２のベルトは分注レーン４２に載置されている他の試料ラック３１も搬出位置
Tdに向けてスライド移動させる。分注レーン４２のベルト駆動により搬出位置Tdに移動し
た試料ラック３１は、移動機構５１により待機レーン４３、回収レーン４４の何れかに搬
送され、載置される。
【００２６】
なお、分注レーン４２と移動機構５１との間には、試料ラック３１の搬入、搬出を妨げ
る構造物は何も設けられておらず、移動機構５１は、搬送してきた試料ラック３１を分注
レーン４２上の空き領域の任意の位置に載置することができ、分注レーン４２上に載置さ
れている任意の試料ラック３１を搬出することができる。移動機構５１が搬送してきた試
料ラック３１を搬入、載置する分注レーン４２上の位置は、上記搬入位置Tbに限定されな
い。分注レーン４２上で試料ラック３１が載置されていなく、搬送してきた試料ラック３
１を載置することができる位置の何れか任意の位置であれば良い。また、移動機構５１が
分注レーン４２から搬出する試料ラック３１は、上記搬入位置Tdに位置したものに限定さ
れるものではなく、当該試料ラック３１が上記分注位置Tc上になく、分注レーン４２上の
何れかの位置に載置されているものであれば、他の位置であっても構わない。なお、分注
レーン４２には試料ラック３１が複数任意の位置に載置され、試料ラック３１を試料分注
プローブ１９が試料を吸引する位置へ試料容器１１単位で送る第２の載置部の一例である
。
【００２７】
待機レーン４３は、待機レーン４３の長手方向が分注レーン４２と互いに平行になるよ
うに分注レーン４２近傍に配置され、測定装置１０で試料の分注が行われた一部の試料ラ
ック３１を一時的に載置する。また、待機レーン４３は、投入レーン４１と回収レーン４
４の間に配置される。待機レーン４３は、検査後に試料ラック３１を一時的に載置する第
３の載置部の一例である。
【００２８】
回収レーン４４は、回収レーン４４の長手方向が測定装置１０の前後方向と平行になる
ように測定装置１０を挟んで投入レーン４１の反対側に近接配置され、試料の分注が終了
した後の試料ラック３１が載置される。ここで、回収位置Teの試料ラック３１は、回収レ
ーン４４の下側に配置された駆動機構によって矢印L４方向に移動される。
【００２９】
また、搬送装置４０は、リーダ４５と複数の検出器４６とを有する。リーダ４５は、投
入レーン４１と分注レーン４２の間に配置され、試料ラック３１に記されたラックID及び
その試料ラック３１に保持される試料容器１１に記された試料IDを読み取って、処理回路
９０に出力する光学センサである。例えばラックIDや試料IDはバーコードシンボル化され
て試料ラック３１及び試料容器１１に印刷されている。リーダ４５はこのバーコードシン
ボルに光を当てその反射光を解析することでIDを読み取ることができる。検出器４６は、
待機レーン４３に配置され、リーダ４５と同様の動作により待機レーン４３上に載置され
た試料容器１１の試料IDを読み取り、待機レーン４３上における試料容器１１の位置を示
す位置情報を検出し、処理回路９０に出力する光学センサである。
【００３０】
次に、図３を参照して、試料ラック３１の構成について説明する。
【００３１】
図３は、試料ラック３１の構成の一例を示した三面図である。図３（ａ）は、試料ラッ
ク３１の上面図を示している。図３（ｂ）は試料ラック３１の短手方向からの側面図を示
している。図３（ｃ）は試料ラック３１の長手方向からの側面図を示している。
【００３２】
図３（ａ）に示すように、試料ラック３１は、その長手方向に複数の試料容器１１を一
列に並べて保持可能な開口部３１１が形成されている。また、図３（ｂ）に示すように、
試料ラック３１は、側面の長手方向両端近傍に、上下方向に細長い貫通穴３１２が形成さ
れている。この貫通穴３１２を通じて移動機構５１は試料ラック３１を保持する。また、
図示しないが、試料ラック３１の測面には、搬送装置４０のリーダ４５及び検出器４６に
より読み取り可能なようにラックIDが記されている。
【００３３】
図４に移動機構５１の構成図を示す。図４は、移動機構５１が試料ラック３１を保持し
ていない状態の斜視図である。移動機構５１は上下移動機構５７と、傾け動作機構５７ｂ
と、回転移動機構５８と、直線移動機構５９とを有する。上下移動機構５７は支持アーム
５７１を図中の実線表示位置と点線表示位置との間を上下移動させることで、支持アーム
５７１にて保持する試料ラック３１を上下に移動させる。傾け動作機構５７ｂは、支持ア
ーム５７１を支持アーム５７１に設けられた支持アーム傾動軸５９０を中心に傾け動作さ
せる。回転移動機構５８はフレーム５８７上の回転軸５８１を中心として移動機構５１を
図中のR１およびR１とは反対方向のR２方向にそれぞれ１８０°回転動させることが可能
である。直線移動機構５９は移動機構５１を図中のL２方向及びL３方向にスライド移動さ
せる。
【００３４】
図５は上下移動機構５７の構成の一例を示した側面図である。この上下移動機構５７は
、支持アーム５７１と第１のホルダ５７２と第２のホルダ５７３とレール５７４とを有す
る。支持アーム５７１は、試料ラック３１の貫通穴３１２に挿入された状態で試料ラック
３１を支持する。第１のホルダ５７２は、支持アーム５７１を長手方向である矢印L５方
向及びL６方向にスライド自在に保持する。第２のホルダ５７３は、第１のホルダ５７２
を上下方向である矢印L７及び矢印L８方向にスライド自在に支持する。レール５７４は、
第２のホルダ５７３をL７方向及びL８方向に案内する。
【００３５】
また、上下移動機構５７は、軸５７５とローラ５７６とプレート５７７と駆動アーム５
７８とを有する。軸５７５は、支持アーム５７１に固定されている。ローラ５７６は、軸
５７５に回動自在に配置されている。図中に破線で示すプレート５７７は、上下方向の中
央に位置するローラ５７６を、曲線の軌道を描いて下方向及び上方向へ案内する開口が設
けられている。駆動アーム５７８は、一端部に軸５７５が遊貫する穴が形成されている。
【００３６】
更に、上下移動機構５７は、回転軸５８１に固定されたフレーム５８０上に支持されて
いる。また、上下移動機構５７はモータ５７９を有する。フレーム５８０は、レール５７
４、プレート５７７及びモータ５７９を保持する。モータ５７９は、駆動アーム５７８の
他端部を矢印R３方向及び矢印R４方向に傾動駆動して上下方向の中央に位置する中央位置
HPの支持アーム５７１を、ローラ５７６と同じ曲線の軌道を描いて下方向及び上方向に駆
動させる。
【００３７】
図５に示すように、モータ５７９が駆動アーム５７８をR４方向へ傾動駆動させること
により、中央位置HPの支持アーム５７１はL６方向及びL８方向へ駆動され下停止位置BPで
停止する。更に、モータ５７９が駆動アーム５７８を水平になるまでR３方向へ傾動駆動
させることにより、支持アーム５７１はL５方向及びL７方向へ駆動され中央位置HPに達す
る。この駆動により、支持アーム５７１は、投入レーン４１、分注レーン４２、又は待機
レーン４３上のいずれかの位置に載置されている試料ラック３１の貫通穴３１２に進入し
て、貫通穴３１２の上端部に接触する。また、モータ５７９が駆動アーム５７８をR３方
向へ傾動駆動させることにより、支持アーム５７１はL６方向及びL７方向に駆動され上停
止位置UPで停止する。この駆動により、支持アーム５７１は試料ラック３１を回転移動機
構５８により回転可能な高さであり、直線移動機構５９により直線移動可能な高さである
上停止位置UPまで移動させる。
【００３８】
支持アーム５７１が貫通穴３１２の上端部に接触することにより、試料ラック３１は支
持アーム５７１によって保持される。ここで、試料ラック３１に載置された試料容器１１
に遠心分離された全血が一定時間以上保持されている場合には、血球成分の残骸などが上
層の血清成分の液面に浮遊することがある。血球成分の残骸による測定誤差を防ぐために
は、試料ラック３１乃至は試料容器１１に任意方向への運動（揺動）を与え、この血球成
分の残骸を血清成分の液面中央から試料分注プローブ１９のプローブ先端が接触しない位
置へ移動させる必要がある。血球成分の残骸を血清成分の液面中央から移動させることに
よって、試料分注プローブ１９に多量の浮遊物が吸入されてしまう事態が防がれる。そこ
で、支持アーム５７１は下停止位置BPから中央位置HPの間、及び上停止位置UPから中央位
置HPの間において、試料ラック３１を保持した状態で試料ラック３１に保持された試料容
器１１の試料に鉛直方向の力を作用させるために上下運動を行う。上下運動を行うことで
、試料容器１１の底方向に向かう力を負荷することができ、試料分注プローブ１９の吸引
位置から上層試料に浮遊した下層試料成分の残骸を試料容器１１の底方向に遠ざけること
ができる。上記、上下運動に代表されるような、搬送による運動とは異なる運動により、
上層試料に浮遊した下層試料成分の残骸を除去する力を負荷することができる。搬送によ
る運動とは異なる運動を、以下、残骸除去運動と定義する。
【００３９】
また、試料ラック３１を上下運動させる際に、上層試料に浮遊した下層試料成分、例え
ば血球成分の残骸を下層に沈殿させることを目的として、試料ラック３１を保持した状態
にて上方向への移動時の鉛直上向きの加速度が下方向への移動時の鉛直下向きの加速度よ
りも大きくなるように上下運動をしてもよい。
【００４０】
図６は、実施形態に係る自動分析装置１００の構成を示したブロック図である。この自
動分析装置１００は測定装置１０と搬送装置４０と駆動回路５０と移動機構５１とを備え
ている。測定装置１０では標準試料や試料及び各検査項目の試薬を分注し、試料及び試薬
の混合液の測定が行われる。搬送装置４０は、試料を測定装置１０内で分注可能な位置へ
搬送する。
【００４１】
駆動回路５０は測定装置１０の図示されないサンプルテーブルを駆動させ、試料容器１
１を移動させる。駆動回路５０は、試薬ラック１４各々を駆動させ、試薬容器１３を回動
させる。また、反応テーブル１８を駆動させ、反応容器１７を回転駆動させる。駆動回路
５０は、試料分注アーム２０と第１試薬分注アーム２２と第２試薬分注アーム２６と第１
攪拌アーム２４とをそれぞれ回転駆動及び上下駆動させ、試料分注プローブ１９と第１試
薬分注プローブ２１と第２試薬分注プローブ２５と攪拌装置２３とを回動及び上下移動さ
せる。また、洗浄ノズル３０を上下移動させる。
【００４２】
移動機構５１は、上下移動機構５７と、回転移動機構５８と、直線移動機構５９とを有
する。移動機構５１は、上下移動機構５７、回転移動機構５８、直線移動機構５９により
、所定の位置までの試料の移動や、試料への残骸除去運動を行う。また、自動分析装置１
００は、データ記憶回路６０と出力回路７０と操作装置８０と処理回路９０とを備えてい
る。
【００４３】
データ記憶回路６０は標準データや分析データを保存する。また、残骸除去運動を与え
るべき試料情報及び検査種別情報を記録したテーブルを保存する。
【００４４】
出力回路７０は各検査後に生成された検量データや分析データを印刷又は表示出力する
。標準データとは濃度が既知の標準試料の吸光度のことを示す。検量データとは吸光度が
既知で濃度が０の標準試料と、吸光度と濃度が既知である標準試料から得られた２つの測
定データから算出される、吸光度と濃度の相関関係を示す線形近似データである。また、
被検データとは測光回路で測定された検査対象試料の吸光度である。分析データは検量デ
ータと被検データの吸光度より算出され、試料中に含まれる対象物質の濃度を示す。
【００４５】
操作装置８０は、例えば各検査項目の分析データを生成する分析データパラメータを設
定するための入力を行う。ところで、分注された試料及びこの試料に設定された検査項目
の試薬の混合液の測定により生成された分析データが予め再検査パラメータとして設定さ
れた範囲を外れている場合は、試料を再度分注し再検査が行われる。そこで、操作装置８
０は、再検査を実行する可能性のある再検査対象の検査項目に対して再検査パラメータを
設定するための入力を行う。また、操作装置８０は、測定装置１０で分注及び測定を行う
試料を識別する試料IDの入力、及びその試料に検査項目を設定するための入力を行う。た
だしこの限りではない。
【００４６】
処理回路９０は、演算機能９１０と揺動制御機能９２０と分析制御機能９３０とシステ
ム制御機能９４０とを含んで構成され、自動分析装置１００に係る各種処理を実行する。
【００４７】
システム制御機能９４０はデータ記憶回路６０、出力回路７０、演算機能９１０、揺動
制御機能９２０、及び分析制御機能９３０を統括して制御する。また、システム制御機能
９４０は試料ID等の情報から試料ラック３１に載置された試料容器１１に含まれる試料の
種類を識別する。
【００４８】
演算機能９１０は測定装置１０で生成された標準データや被検データを読み込んで各検
査項目の検量データと比較することで、分析データを演算する。
【００４９】
揺動制御機能９２０は、試料ラック３１に与える残骸除去運動に関する制御を行う。本
実施例では、移動機構５１が試料ラック３１を上下運動させる場合を例に説明する。また
揺動制御機能９２０を読み込んだ状態の処理回路９０は、移動機構５１の少なくとも試料
ラック３１を保持した部分に残骸除去運動をさせる制御回路の一例である。揺動制御機能
９２０は、例えばデータ記憶回路６０に保存されている残骸除去運動を与えるべき検体情
報及び検査種別情報を記録したテーブルを読み込む。次に、揺動制御機能９２０は識別し
た試料の種類とテーブルとを照合し、試料ラック３１に載置された試料に残骸除去運動を
与えるか否かを判断する。例えば試料の種類が遠心分離された全血である場合には赤血球
の残骸などの浮遊物が液面に浮遊する場合があるため残骸除去運動を与えるものとする。
一方で、試料の種類が尿や唾液など、浮遊物による影響が少ない種類の試料である場合に
は残骸除去運動を与えないものとする。これらの試料ごとの残骸除去運動の要否がテーブ
ルとしてデータ記憶回路６０に記録される。揺動制御機能９２０はこのテーブルに記録さ
れている残骸除去運動の要否と対象試料の種別とを比較することで、浮遊物の影響が生じ
る検体に対して選択的に負荷を与える。
【００５０】
分析制御機能９３０は、操作装置８０から入力された各検査項目の分析パラメータ、再
検査パラメータ、試料ID、及びこの試料IDで識別される試料に設定された検査項目等の入
力情報、搬送装置４０のリーダ４５から出力されるラックID及び試料ID、並びに搬送装置
４０の検出器４６から出力される試料ラック３１の位置情報等を読み込んで、駆動回路５
０及び移動機構５１を制御する。
【００５１】
また、処理回路９０の構成要素、演算機能９１０、揺動制御機能９２０、分析制御機能
９３０とシステム制御機能９４０にて行われる各処理機能は、コンピュータによって実行
可能なプログラムの形態で記憶回路に記録されている。処理回路９０はプログラムを記憶
回路から読み出し、実行することで各プログラムに対応する機能を実現するプロセッサで
ある。換言すると、各プログラムを読み出した状態の処理回路９０は、図１の処理回路９
０内に示された各機能を有することとなる。なお、図１においては単一の処理回路９０に
て演算機能９１０、揺動制御機能９２０、分析制御機能９３０とシステム制御機能９４０
にて行われる処理機能が実現されるものとして説明したが、複数の独立したプロセッサを
組み合わせて処理回路９０を構成し、各プロセッサがプログラムを実行することにより機
能を実現するものとしても構わない。
【００５２】
図７は、分注位置で試料容器１１内の試料を吸引する試料分注プローブ１９を示した断
面図である。この試料分注プローブ１９は、上下方向に伸びた管から成り、下端の開口か
ら試料の吸引及び吐出を行い、上端は試料分注ポンプ１９ｂと例えば純水等の圧力伝達媒
体が充填されたチューブ１９１で連通している。そして、試料分注プローブ１９は、試料
分注ポンプ１９ｂの吸引及び吐出動作によるチューブ１９１を介して伝達される圧力によ
り、下端から試料の吸引及び吐出を行う。また、試料分注プローブ１９は、上端部が試料
分注アーム２０に保持され、この試料分注アーム２０の回動動作により円周方向へ水平に
移動し、上下動作により上下方向に移動することで、任意の試料容器１１および反応容器
１７の内部へ試料分注プローブ１９の先端を移動させる。また、試料分注プローブ１９の
移動、吸引、吐出を組み合わせることにより、試料ラック３１中の任意の試料を任意の反
応容器１７に分注することができる。
【００５３】
図８は移動機構５１の動作過程の一例を示したフローチャートである。先述したように
、遠心分離がなされた血液を検査対象の試料とする場合には、血球成分の残骸が上層に浮
遊することで測定誤差を生じる場合がある。そこで図８の動作過程では、揺動制御機能９
２０がこの血球成分の残骸によって測定誤差が生じる可能性のある試料を検出し、分注前
にその試料へ残骸除去運動を与えるよう移動機構５１を制御する。本フローチャートは投
入レーン４１上の試料ラック３１を移動機構５１が保持する過程から試料ラック３１に残
骸除去運動を与えた後に分注レーン４２へ試料ラック３１を戻す過程までのステップS１
１乃至S１６により構成されている。
【００５４】
まず、搬送装置４０上の投入レーン４１から搬送された試料ラック３１は投入レーン４
１上のベルトの駆動により矢印L１方向に移動する。投入レーン４１上の投入位置Taに配
置された試料ラック３１は移動機構５１によって保持される（ステップS１１）。
【００５５】
移動機構５１は試料ラック３１をリーダ４５の位置へと搬送し、ラックID及び試料IDの
読み取りを行わせる。読み取られた結果は処理回路９０へと転送され、処理回路９０が有
するシステム制御機能９４０はどの試料ラック３１にどのような種類の試料が保持されて
いるかを識別する。（ステップS１２）
【００５６】
ラックID及び試料IDの読み取り後、移動機構５１は試料ラック３１を待機レーン４３を
経由した後に、分注レーン４２へと搬送する。Ｓ１１では投入位置Taにおいて試料ラック
３１を保持する例を述べたが、投入位置Taの代わりに待機レーン４３に配置された試料ラ
ック３１を保持しても良い。（ステップS１３）
【００５７】
揺動制御機能９２０はステップS１２で識別した試料の種類および検査項目を読み込ん
で、残骸除去運動を与えるべき試料であるか否かを判定する。揺動制御機能９２０が残骸
除去運動を与えるべきと判断した場合、揺動制御機能９２０は移動機構５１を駆動させ、
Txに位置する試料ラック３１を保持させる。揺動制御機能９２０は、移動機構５１が保持
する試料ラック３１に対し残骸除去運動を行わせるよう移動機構５１に指示する。つまり
、移動機構５１が試料ラック３１を保持する時点としては、分注レーン４２に載置されて
いる試料ラック３１のうち、保持している試料容器１１から試料分注プローブ１９が吸引
していないものがある場合などが挙げられる。また、試料ラック３１の位置情報は検出器
４６によって検出され、処理回路９０に送信される。移動機構５１は処理回路９０から試
料ラック３１の位置情報を受信し、試料ラック３１を保持するために移動する。また、揺
動制御機能９２０が移動機構５１の試料ラック３１を保持した部分に残骸除去運動を行わ
せるのは、移動機構５１が試料ラック３１を投入レーン４１から分注レーン４２の載置部
に搬送するための移動途中でも良いし、検査後に試料ラック３１を一時的に載置する待機
レーン４３から分注レーン４２の載置部に搬送するための移動途中でも良い。（ステップ
S１４）
【００５８】
移動機構５１は支持アーム５７１に試料ラック３１を保持した状態で上下運動を行うこ
とによって、試料容器１１に残骸除去運動を与える。（ステップS１５）
【００５９】
試料ラック３１への残骸除去運動を与えた後に、移動機構５１は再度試料ラック３１を
分注レーン４２中のTxへと戻す。（ステップS１６）
【００６０】
以上の動作により、移動機構５１は位置Txにある試料ラック３１を揺動させる。これに
より、試料の分注直前に試料ラック３１に残骸除去運動を与えることができ、血球成分の
残骸を液面中央から移動させることができる。
【００６１】
本フローチャートでは移動機構５１の動作過程の一例を示した。ところで、検査結果に
不備がある検体を有する試料ラック３１に対して、再検査を行う場合があり、再検査時に
試料容器１１を保持する試料ラック３１を移動機構５１が保持する場合に、揺動制御機能
９２０は残骸除去運動を与えることにしても良い。例えば、処理回路９０は１回目の検査
の分析データを読み込んで分析データがデータ記憶回路６０に記録された基準値を超える
場合、或いは検査項目によっては基準値を下回る場合には試料容器１１を有する試料ラッ
ク３１を再検査対象候補として検出する。検査結果が判明するまでの間、試料ラック３１
は待機レーン４３上に載置される。再検査対象の試料を含む試料ラック３１は、待機レー
ン４３上から分注レーン４２上へ移動機構５１によって搬送される過程において残骸除去
運動を与えても良い。また、２回目の検査を行うために分注レーン４２上へ搬送した後、
分注レーン４２上から試料ラック３１を保持して残骸除去運動を与えるようにしても良い
。
【００６２】
また、再検査時においては残骸除去運動を与えるか否かは特定の条件に基づいて決定し
ても良い。例えば、揺動制御機能９２０は、１回目の検査時に残骸除去運動がなされた試
料ラック３１に含まれる試料が、２回目の検査時に試料分注プローブ１９によって吸引さ
れるまでの時間を推定する。この推定された時間が所定の時間を超える場合、揺動制御機
能９２０は２回目の検査時に移動機構５１に試料ラック３１を保持させて残骸除去運動を
させることにしても良い。若しくは、揺動制御機能９２０が、残骸除去運動をさせた移動
機構５１の試料ラック３１を保持した部分に残骸除去運動を行わせるのは、試料ラック３
１が分注レーン４２または待機レーン４３の何れかに載置されてから所定時間経過した場
合としても良い。１回目の残骸除去運動からの経過時間が短い場合には下層試料成分の上
層試料への浮遊が起こる可能性が低いと考えられる。そのため、１回目の残骸除去運動か
らの経過時間を計測しておき、残骸除去運動を与える試料ラック３１と残骸除去運動を与
えない試料ラック３１を弁別することにより検査時間の短縮が見込まれる。
【００６３】
（変形例１）
次に図９を参照して、上記実施形態の変形例について説明する。先の実施形態では、上
下移動機構５７が試料ラック３１を保持した状態で上下運動を行うことで試料容器１１の
底方向に向かう力を負荷する残骸除去運動について述べた。本変形例では、この上下運動
に代わって、傾け動作機構５７ｂにより搬送装置４０が保持した試料ラック３１を所定方
向に所定角度で繰り返し傾ける傾動運動を与える。これにより、試料容器１１の底方向に
向かう力が負荷され、残骸除去運動が行われる場合について述べる。本変形例では、移動
機構５１に設けられた支持アーム５７１に傾け動作を与えるための支持アーム傾動軸５９
０が追加されている。支持アーム５７１によって試料ラック３１を保持した状態で、支持
アーム５７１は試料ラック３１を傾けるように動かす。この動作によって、試料に負荷を
与えることができる。この場合、図６の移動機構５１を、移動機構５１ｂに置き換えて実
施すればよい。
【００６４】
図９は本変形例の傾け動作機構５７ｂの構成を示した側面図である。図９中に示すよう
に、支持アーム５７１に傾動軸５９０を追加することにより支持アーム５７１の試料ラッ
ク保持部５７１ｂを傾けることが可能になる。試料ラック保持部５７１ｂを傾けるために
は、例えば移動機構５１ｂ内の駆動部から支持アーム５７１と試料ラック保持部５７１ｂ
の間に設けられた傾動軸５９０の間をベルトコンベアで結び、傾動軸５９０を中心に支持
アーム５７１を回転させてもよい。また、移動機構５１ｂ内に別途、支持アーム５７１と
連結したピンを往復運動させるようなモータを追加し、ピンの往復運動に伴い傾動軸５９
０を中心に支持アーム５７１を回転させる構成を設けても良い。
【００６５】
本変形例では支持アーム５７１が試料ラック３１を保持した状態において傾動運動を行
うことで試料に試料容器の側壁方向および底方向に対する力を負荷する。これにより、上
層試料に浮遊した下層試料成分の残骸を液面の側壁方向および底方向へ分散させ、試料分
注プローブ１９による吸引位置から遠ざけることができる。
【００６６】
（変形例２）
次に図１０を参照して上記実施形態の別の変形例について説明する。本変形例では、先
述した底方向に向かう力を与える場合に代わって、移動機構５１が保持した試料ラック３
１に保持された試料容器１１の側壁方向に向かう力を与えることによって、下層試料の残
骸を上層試料の液面中央から移動させる場合について説明する。本変形例では、試料容器
１１の側壁方向に向う力として、移動機構５１の試料ラック３１を保持する部分を搬送路
上において移動機構５１の回転軸５８１を中心軸として所定方向に回転動させることで、
残骸除去運動を行う場合について説明する。
【００６７】
図１０は回転移動機構５８の構成の一例を示した上面図である。この回転移動機構５８
は、モータ５８３とプーリ５８４とプーリ５８５とベルト５８６とフレーム５８７とによ
り構成される。モータ５８３は、移動機構５１を回転駆動させる。プーリ５８４は、モー
タ５８３に固定される。プーリ５８５は、移動機構５１の回転軸５８１に固定される。ベ
ルト５８６は、プーリ５８４及びプーリ５８５に巻回される。フレーム５８７は、ベルト
５８６及びモータ５８３を保持すると共に、移動機構５１の回転軸５８１を回転自在に保
持する。
【００６８】
モータ５８３がプーリ５８４を回転駆動することにより、回転軸５８１を中心として移
動機構５１は回転駆動される。そして、上下移動機構５７により上下停止位置に移動され
た試料ラック３１をR１方向、及びR１方向とは反対方向のR２方向に１８０°回転移動さ
れる。
【００６９】
本変形例では支持アーム５７１が試料ラック３１を保持した状態においてR１方向及びR
２方向への複数回の反転運動を行うことで試料に試料容器１１の側壁方向への負荷を与え
、上層試料に浮遊した下層試料成分の残骸を側壁方向へ分散させる。これにより試料分注
プローブ１９によって吸引される下層試料成分の残骸が減少する。
【００７０】
（変形例３）
また、移動機構５１が試料ラック３１を保持した状態において搬送装置４０内を水平又
は垂直方向の何れか一方に繰り返しスライド移動することによって、試料に残骸除去運動
を与える構成を有しても良い。例えば、パルス状に移動機構５１をスライド移動させる。
すなわち短時間に移動と停止を繰り返すことによって、スライド移動方向に対して水平方
向の残骸除去運動を試料に与えてもよい。
【００７１】
本変形例では移動機構５１がパルス状のスライド移動を行うことにより、試料容器１１
内の下層試料の残骸は試料容器１１の側壁方向に向かう力を受け、試料分注プローブ１９
による吸引位置から遠ざけられる。これにより試料分注プローブ１９によって吸引される
下層試料の残骸が減少する。
【００７２】
（変形例４）
また、変形例１の傾け動作は実施形態の上下運動や変形例２の回転運動と組み合わせて
実施しても良い。例えば、移動機構５１が保持する試料ラック３１を繰り返し上下運動さ
せながら傾動運動させるものであっても良いし、試料ラック３１を繰り返し回転動させな
がら傾動運動させるものであっても良い。具体的には、支持アーム５７１によって試料ラ
ック３１を保持し、傾動軸５９０を中心に支持アーム５７１で傾け動作を行いながら、移
動機構５１を上下運動させても良い。上下運動時の傾け動作は試料ラック３１を傾けた状
態を保持して上下運動しても良いし、上下運動中に傾け動作を作動させても良い。また、
支持アーム５７１によって試料ラック３１を保持し、傾動軸５９０を中心に支持アーム５
７１で傾け動作を行いながら、移動機構５１を回転させて実施しても良い。回転時の傾け
動作は、試料ラック３１を傾けた状態を保持して回転しても良いし、回転中に傾け動作を
作動させても良い。また、試料ラック３１を上下運動させる際に、上層試料に浮遊した下
層試料成分、例えば血球成分の残骸等を下層に沈殿させることを目的として、試料ラック
３１を保持した状態において上方向への移動時の鉛直上向きの加速度が下方向への移動時
の鉛直下向きの加速度よりも大きくなるように上下運動を行っても良い。
【００７３】
本変形例では支持アーム５７１が試料ラック３１を保持した状態において上下運動およ
び傾動運動、または回転動および傾動運動を行うことで、試料容器１１内の下層試料の残
骸に側壁方向および底方向に対する力を負荷する。これにより、上層試料に浮遊した下層
試料成分の残骸を液面の側壁方向および底方向に分散させ、試料分注プローブ１９による
吸引位置から遠ざけることができる。
【００７４】
以上説明した少なくとも１つの実施形態によれば試料ラック３１の搬送過程において、
水平方向乃至は底方向への力を負荷することにより、下層試料からの浮遊物を上層試料の
試料分注プローブ１９による吸引位置から遠ざけることができる。これにより、試料分注
プローブ１９によって吸引される下層試料の残骸が減少するため、測定誤差を低減するこ
とができる。また別途負荷を試料容器１１に与えるための個別の構成を有する必要が無く
、試料ラック３１の搬送中に負荷を与えることが可能なため、分注までに要する時間を短
縮することが可能である。
【００７５】
各実施形態における測定装置１０、搬送装置４０、駆動回路５０、移動機構５１、デー
タ記憶回路６０、出力回路７０、印刷装置７１０、表示装置７２０、操作装置８０、処理
回路９０、演算機能９１０、揺動制御機能９２０、分析制御機能９３０、システム制御機
能９４０は、それぞれ対応する測定部１０、搬送部４０、駆動部５０、移動機構部５１、
データ記憶部６０、出力部７０、印刷部７１０、表示部７２０、操作部８０、処理部９０
、演算部９１０、揺動制御部９２０、分析制御部９３０、システム制御部９４０によって
実現されるものであっても良い。なお、本実施形態において「部」として説明した構成要
素は、その動作がハードウェアによって実現されるものであっても良いし、ソフトウェア
によって実現されるものであっても良いし、ハードウェアとソフトウェアとの組み合わせ
によって実現されるものであっても良い。
【００７６】
本発明のいくつかの実施形態を説明したが、これらの実施形態は、例として提示したも
のであり、発明の範囲を限定することを意図していない。これら新規な実施形態は、その
他の様々な形態で実施されることが可能であり、発明の要旨を逸脱しない範囲で、種々の
省略、置き換え、変更を行うことができる。これらの実施形態やその変形は、発明の範囲
や要旨に含まれると共に、特許請求の範囲に記載された発明とその均等の範囲に含まれる
。
【符号の説明】
【００７７】
１０…測定装置、１１…試料容器、１３…試薬容器、１４…試薬ラック、１５…第１試
薬庫、１６…第２試薬庫、１７…反応容器、１８…反応テーブル、１９…試料分注プロー
ブ、１９ａ…液面検出器、１９ｂ…試料分注ポンプ、１９１…チューブ、２０…試料分注
アーム、２１…第１試薬分注プローブ、２２…第１試薬分注アーム、２３…攪拌装置、２
５…第２試薬分注プローブ、２６…第２試薬分注アーム、２９…測光装置、３０…洗浄ノ
ズル、３１…試料ラック、３１１…開口部、３１２…貫通穴、４０…搬送装置、４１…投
入レーン、４２…分注レーン、４３…待機レーン、４４…回収レーン、４５…リーダ、４
６…検出器、５１…移動機構、５１ｂ…移動機構、５７…上下移動機構、５７ｂ…傾け動
作機構、５８…回転移動機構、５９…直線移動機構、５７１…支持アーム、５７１ｂ…試
料ラック保持部、５７２…第１のホルダ、５７３…第２のホルダ、５７４…レール、５７
５…軸、５７６…ローラ、５７７…プレート、５７８…駆動アーム、５７９…モータ、５
８０…フレーム、５８１…回転軸、５８３…モータ、５８４…プーリ、５８５…プーリ、
５８６…ベルト、５８７…フレーム、５９０…傾動軸、６０…データ記憶回路、７０…出
力回路、７１０…印刷装置、７２０…表示装置、８０…操作装置、９０…処理回路、９１
０…演算機能、９２０…揺動制御機能、９３０…分析制御機能、９４０…システム制御機
能、１００…自動分析装置
【図１】
2017083269.tif 000003
【図２】
2017083269.tif 000004
【図３】
2017083269.tif 000005
【図４】
2017083269.tif 000006
【図５】
2017083269.tif 000007
【図６】
2017083269.tif 000008
【図７】
2017083269.tif 000009
【図８】
2017083269.tif 000010
【図９】
2017083269.tif 000011
【図１０】
2017083269.tif 000012